(57)【要約】【課題】石鹸の水切りがより良く、石鹸の取り出しおよび格納がより簡単にでき、また、石鹸の変形をより抑制できる。【解決手段】爪２１−１乃至２１−３は、それぞれ、前後方向の断面の断面形状がＪ字状の板材であって、Ｊ字状の短手側の部分である短手部４１−１乃至４１−３が正面側に位置し、Ｊ字状の長手側の部分である長手部４２−１乃至４２−３が背面側に位置し、上側が開いている板材からそれぞれなり、横方向の所定の幅の隙間が形成される間隔で横方向に一列に配置されている。平板状の背面板２２は、複数本の爪２１−１乃至２１−３の長手部４２−１乃至４２−３を一平面となるように繋ぐ。平板状の２枚の側面板である側面板２３−１および２３−２は、石鹸入れ１１の両側の側面のそれぞれに、背面板２２に交差する向きにそれぞれ配置されている。【選択図】図１
2018094323.tif 000002
【特許請求の範囲】
【請求項１】
前後方向の断面の断面形状がＪ字状の板材であって、Ｊ字状の短手側の部分である短手部が正面側に位置し、Ｊ字状の長手側の部分である長手部が背面側に位置し、上側が開いている板材からそれぞれなり、横方向の所定の幅の隙間が形成される間隔で横方向に一列に配置されている複数本の爪と、
複数本の前記爪の前記長手部を一平面となるように繋ぐ平板状の背面板と、
両側の側面のそれぞれに、前記背面板に交差する向きにそれぞれ配置されている平板状の２枚の側面板と
を含んでなる石鹸入れ。
【請求項２】
請求項１に記載の石鹸入れにおいて、
前記爪は、３本とされている
石鹸入れ。
【請求項３】
請求項１に記載の石鹸入れにおいて、
前記爪の間の前記隙間の幅は、１．８ｃｍ乃至２．２ｃｍである
石鹸入れ。
【請求項４】
請求項１に記載の石鹸入れにおいて、
前記爪の前記短手部の上下方向の長さは、２．２ｃｍ乃至２．７ｃｍである
石鹸入れ。
【請求項５】
請求項１に記載の石鹸入れにおいて、
前記爪の下側端部の前後方向の長さは、３．０ｃｍ乃至４．０ｃｍである
石鹸入れ。
【請求項６】
請求項１に記載の石鹸入れにおいて、
前記爪の下側端部は、正面側から前記背面板側に近づくに従い下がるように傾いている
石鹸入れ。
【請求項７】
請求項１に記載の石鹸入れにおいて、
前記爪の前記短手部は、下側から上側に向かうに従い正面側に位置するように傾いている
石鹸入れ。
【請求項８】
請求項１に記載の石鹸入れにおいて、
前記爪の下側端部における上側の面の形状は、凸状とされている
石鹸入れ。
【請求項９】
請求項１に記載の石鹸入れにおいて、
前記側面板と、前記側面板に隣接して配置されている前記爪との間に隙間が形成されている
石鹸入れ。
【発明の詳細な説明】
【技術分野】
【０００１】
本発明は石鹸入れに関し、特に、洗面台やシンクなどでの使用に適した石鹸入れに関する。
【背景技術】
【０００２】
洗面台やシンク、または風呂場で石鹸を入れておく石鹸入れや石鹸容器、ソープディッシュが利用されている。
【０００３】
従来、底板部とその周囲の側板部とからなる容器本体を備えると共に、この容器本体の上部に、天板部とその周囲の側板部とからなる蓋体を冠着して、その内部に石けんを収納するようにした石けん用容器において、容器本体の側板部の下端面を、蓋体の天板部の周縁における表面形状に合致する形状にし、この蓋体の天板部の周縁に、容器本体の側板部の下端面を嵌合自在にすることで、蓋体を容器本体の下部に配置可能にした石けん用容器がある（例えば、特許文献１参照）。
【０００４】
また、固形石鹸を受ける面に複数縦凸を設ける事で、短間で自然乾燥させる事が出来るようにしたシャボンスタンドも提案されている（例えば、特許文献２参照）。
【先行技術文献】
【特許文献】
【０００５】
【特許文献１】特開２０１０−２６８９３１号公報
【特許文献２】特開２０１１−３６６２１号公報
【発明の概要】
【発明が解決しようとする課題】
【０００６】
しかしながら、従来の皿状の石鹸容器では、石鹸が底面に密着して、乾燥しにくい。石鹸容器に孔が設けられていたとしても、溶解した石鹸で孔が塞がれてしまい、石鹸容器内に水が溜まりやすかった。このため、石鹸がふやけて溶解してしまい、最後まで使い切ることが困難であった。さらに、石鹸容器に石鹸を入れようとすると、滑って飛び出してしまうこともあった。
【０００７】
また、特許文献１の石けん用容器または特許文献２のシャボンスタンドでは、石鹸を上から掴んで取り出すので、滑りやすい石鹸は掴みにくく、取り出しにくかった。さらに、掴むときに力を加える必要があるので、ふやけた石鹸では変形してしまう。
【０００８】
本発明は、このような状況に鑑みてなされたものであり、石鹸の水切りがより良く、石鹸の取り出しおよび格納がより簡単にでき、また、石鹸の変形をより抑制できるようにするものである。
【課題を解決するための手段】
【０００９】
本発明の一側面の石鹸入れは、前後方向の断面の断面形状がＪ字状の板材であって、Ｊ字状の短手側の部分である短手部が正面側に位置し、Ｊ字状の長手側の部分である長手部が背面側に位置し、上側が開いている板材からそれぞれなり、横方向の所定の幅の隙間が形成される間隔で横方向に一列に配置されている複数本の爪と、複数本の爪の長手部を一平面となるように繋ぐ平板状の背面板と、両側の側面のそれぞれに、背面板に交差する向きにそれぞれ配置されている平板状の２枚の側面板とを含んでなる。
【００１０】
横方向の所定の幅の隙間が形成される間隔で横方向に一列に配置されている複数本の爪で石鹸が支えられるので、石鹸に接する部分をより小さくすることができ、水が溜まることがなく、石鹸の水切りをより良くすることができる。爪は、短手部が正面側に位置するＪ字状に形成され、横方向の所定の幅の隙間が形成される間隔で横方向に一列に配置されているので、爪の隙間から掬い取ることで、石鹸を簡単に取り出すことができ、また、正面上側から滑り込ませれば、石鹸を簡単に格納することができる。石鹸がふやけていても、下から支えるように掬い取れるので、石鹸に強い力を加える必要がなく、石鹸がより変形しにくい。すなわち、石鹸の変形をより抑制できるようになる。
【００１１】
また、爪を、３本とすることができる。爪を３本とすると、爪の隙間から掬い取ることを容易にしつつ、石鹸を支える面をより広くできるので、格納されている石鹸がふやけていても、石鹸の変形を防止できる。さらに、爪の間の隙間の幅を、１．８ｃｍ乃至２．２ｃｍとすることができる。このようにすることで、爪の隙間から指で掬い取ることで、石鹸を簡単に取り出すことができる。
【００１２】
爪の短手部の上下方向の長さを、２．２ｃｍ乃至２．７ｃｍとすることができる。このようにすると、爪の隙間から石鹸を掬い取ったときに、上側により短い距離だけ石鹸を変位させるだけで、爪の短手部の上端を超えて石鹸を手前側に取り出すことができる。また、爪の短手部の上端を超えて石鹸を滑り込ませれば、石鹸を簡単に格納できる。すなわち、石鹸の取り出しおよび格納がさらに簡単にできる。石鹸がふやけていても、下から支えるように掬い取れ、上側により短い距離だけ石鹸を変位させるだけで、爪の短手部の上端を超えて石鹸を手前側に取り出せるので、石鹸に強い力を加える必要がなく、石鹸がより変形しにくい。すなわち、石鹸の変形をより抑制できるようになる。
【００１３】
爪の下側端部の前後方向の長さを、３．０ｃｍ乃至４．０ｃｍとすることができる。このようにすると、石鹸の広い面が立った状態で石鹸が格納されることになり、石鹸から水が流れ落ちやすくなり、石鹸の水切りをより良くすることができる。
【００１４】
爪の下側端部を、正面側から背面板側に近づくに従い下がるように傾いている形状とすることができる。このようにすることで、格納されている石鹸が背面板側に滑り、石鹸の平たい側の面が直立しやすくなるので、さらに石鹸の水切りを良くすることができる。
【００１５】
爪の短手部を、下側から上側に向かうに従い正面側に位置するように傾いている形状とすることができる。このようにすることで、爪の隙間から石鹸を掬い取ったときに、石鹸の平たい側の面が正面側に傾いて、爪の短手部に沿って正面側に石鹸が滑るので、爪の短手部の上端をより簡単に超えて石鹸を手前側に取り出すことができる。また、爪の短手部の上端を超えて石鹸を滑り込ませるときに、正面側に開いているので、開口が広くなり、石鹸を簡単に格納できる。すなわち、石鹸の取り出しおよび格納がさらに簡単にできる。石鹸がふやけていても、下から支えるように掬い取ると、爪の短手部に沿って正面側に石鹸が滑るので、より少ない力で石鹸を取り出すことができる、石鹸がより変形しにくい。すなわち、石鹸の変形をより抑制できるようになる。
【００１６】
爪の下側端部における上側の面の形状を、凸状とすることができる。このようにすることで、石鹸が下側端部における上側の面に密着しなくなり、爪から水が流れやすくなり、石鹸の水切りをより良くすることができる。
【００１７】
側面板と、側面板に隣接して配置されている爪との間に隙間を形成することができる。このようにすることで、側面板と爪との間の隙間から水が流れやすくなり、石鹸の水切りをより良くすることができる。
【発明の効果】
【００１８】
以上のように、本発明の一側面の石鹸入れによれば、石鹸の水切りがより良く、石鹸の取り出しおよび格納がより簡単にでき、また、石鹸の変形をより抑制できる。
【図面の簡単な説明】
【００１９】
【図１】石鹸入れ１１の構成を示す正面図である。
【図２】石鹸入れ１１の構成を示す背面図である。
【図３】石鹸入れ１１の構成を示す上面図である。
【図４】石鹸入れ１１の構成を示す底面図である。
【図５】石鹸入れ１１の構成を示す右側面図である。
【図６】石鹸入れ１１から石鹸１０１を取り出す状態を示す図である。
【発明を実施するための形態】
【００２０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の一側面の石鹸入れ（例えば、図１の石鹸入れ１１）は、前後方向の断面の断面形状がＪ字状の板材であって、Ｊ字状の短手側の部分である短手部が正面側に位置し、Ｊ字状の長手側の部分である長手部が背面側に位置し、上側が開いている板材からそれぞれなり、横方向の所定の幅の隙間が形成される間隔で横方向に一列に配置されている複数本の爪（例えば、図１の爪２１−１乃至２１−３）と、複数本の爪の長手部を一平面となるように繋ぐ平板状の背面板（例えば、図１の背面板２２）と、両側の側面のそれぞれに、背面板に交差する向きにそれぞれ配置されている平板状の２枚の側面板（例えば、図１の側面板２３−１および２３−２）とを含んでなる。
【００２２】
以下、図１乃至図６を参照して、本発明の一実施の形態の石鹸入れ１１について説明する。図１乃至図５は、それぞれ、石鹸入れ１１の構成を示す正面図、背面図、上面図、底面図および右側面図である。
【００２３】
石鹸入れ１１の外縁は、概ね直方体状である。例えば、石鹸入れ１１の横幅は、１０．０ｃｍから１１．０ｃｍとされ、石鹸入れ１１の奥行きは、５．２ｃｍから６．０ｃｍとされ、石鹸入れ１１の高さは、６．０ｃｍから７．０ｃｍとされている。石鹸入れ１１の上側および正面側上半分が開いているので、石鹸入れ１１の内側に石鹸を格納して、石鹸入れ１１の内側から取り出すことができる。
【００２４】
石鹸入れ１１は、洗面台や流し台（シンク）または風呂場の、例えば水槽の垂直の面や垂直の壁などに固定されて使用される。石鹸入れ１１は、水切りが良く、腐蝕しにくい素材で形成されている。例えば、石鹸入れ１１は、アクリル、ポリプロピレン、若しくはポリエチレンなどの樹脂、ステンレススチール若しくはチタン合金などの金属で形成されている。また、石鹸入れ１１は陶磁器として形成することもできる。
【００２５】
石鹸入れ１１において、それぞれアーム状の３本の爪２１−１乃至２１−３により、格納されている石鹸は、石鹸の広い面が立てられた状態で支えられる。これにより、石鹸に接する部分をより小さくすることができ、石鹸に付着する水をより少なくでき、水が溜まることがなく、石鹸の水切りをより良くすることができる。また、石鹸の広い面が立てられた状態で石鹸が支えられるので、石鹸入れ１１の奥行きが短くなり、場所をとらず、邪魔になりにくい。
【００２６】
石鹸に付着した水分は、石鹸入れ１１から、洗面台や流し台または風呂場などに直接に落ちるので、そのまま流れてしまい、水周りが汚れにくい。
【００２７】
そして、爪２１−１乃至２１−３の隙間から指を差し入れて、石鹸を掬い取ることで、石鹸を簡単に取り出すことができる。石鹸入れ１１に石鹸を戻す場合にも、石鹸がはみ出したりせず綺麗に収まり、収まりが良い。
【００２８】
次に、石鹸入れ１１の構成の詳細について説明する。石鹸入れ１１は、爪２１−１乃至２１−３、背面板２２、並びに側面板２３−１および２３−２を含み構成される。爪２１−１乃至２１−３は、石鹸を支える３本のアームである。
【００２９】
背面板２２は、爪２１−１乃至２１−３の背面側を繋ぐ平板である。背面板２２の背面側には、可撓性のあるゴムまたはプラスチックなどで皿状に形成されている吸盤８１−１および８１−２をそれぞれ装着するための吸盤止め２４−１および２４−２が横方向に並ぶように設けられている。吸盤止め２４−１および２４−２は、それぞれ、内部が空洞で、下側が開いた直方体状に形成されている。また、吸盤止め２４−１および２４−２の背面側には、それぞれ、下側が開いた円形の孔が形成されている。
【００３０】
吸盤止め２４−１および２４−２のそれぞれの孔に、吸盤８１−１および８１−２のそれぞれの突起を挿入することで、吸盤止め２４−１および２４−２のそれぞれに、吸盤８１−１および８１−２がそれぞれ装着される。洗面台や流し台の水槽の垂直の面または風呂場の垂直の壁などに吸盤８１−１および８１−２を押し付けることで、石鹸入れ１１を固定することができる。
【００３１】
また、背面板２２の正面側の面の形状を、凸状に形成することができる。
【００３２】
側面板２３−１および２３−２は、それぞれ、石鹸入れ１１の両側の側面にそれぞれ配置されている。側面板２３−１および２３−２は、背面板２２に交差する向きにそれぞれ配置されている平板である。
【００３３】
すなわち、側面板２３−１は、石鹸入れ１１の左側面に設けられる。爪２１−１は、側面板２３−１の右隣に設けられる。爪２１−２は、爪２１−１の右隣に設けられる。爪２１−３は、爪２１−２の右隣に設けられる。側面板２３−２は、爪２１−３の右隣に設けられる。言い換えれば、側面板２３−２は、石鹸入れ１１の右側面に設けられる。
【００３４】
爪２１−１乃至２１−３は、所定の間隔で横方向に並ぶように配置されている。爪２１−１乃至２１−３は、それぞれ釣り針状に湾曲した板状とされている。板状の爪２１−１乃至２１−３の面が、格納されている石鹸に接するように、爪２１−１乃至２１−３は形成されている。爪２１−１乃至２１−３の湾曲している内側で、格納されている石鹸が支えられる。
【００３５】
より詳細には、爪２１−１乃至２１−３は、それぞれ、板材で形成されている。爪２１−１乃至２１−３の形状は、同じとされている。
【００３６】
すなわち、爪２１−１乃至２１−３のそれぞれの前後方向の断面の断面形状は、Ｊ字状に形成されている。爪２１−１における、Ｊ字状の短手側の部分である短手部４１−１は、正面側に位置し、Ｊ字状の長手側の部分である長手部４２−１は、背面側に位置する。爪２１−２における、Ｊ字状の短手側の部分である短手部４１−２は、正面側に位置し、Ｊ字状の長手側の部分である長手部４２−２は、背面側に位置する。爪２１−３における、Ｊ字状の短手側の部分である短手部４１−３は、正面側に位置し、Ｊ字状の長手側の部分である長手部４２−３は、背面側に位置する。
【００３７】
Ｊ字状の爪２１−１の下側端部４３−１の前後方向の長さは、３．０ｃｍ乃至４．０ｃｍとされている。Ｊ字状の爪２１−２の下側端部４３−２の前後方向の長さは、３．０ｃｍ乃至４．０ｃｍとされている。Ｊ字状の爪２１−３の下側端部４３−３の前後方向の長さは、３．０ｃｍ乃至４．０ｃｍとされている。より好ましくは、下側端部４３−１乃至４３−３の前後方向の長さは、３．５ｃｍとされている。
【００３８】
爪２１−１乃至２１−３のそれぞれの上側は、開いている。
【００３９】
爪２１−１乃至２１−３の高さ方向の位置は、同じとされている。すなわち、爪２１−１乃至２１−３は、横方向に一列に配置されている。言い換えれば、爪２１−１乃至２１−３は、爪２１−１乃至２１−３の内側の面の位置が揃うように、並べられている。
【００４０】
また、爪２１−１乃至２１−３の間には、図１中の矢印Ａで示されるように、横方向の所定の幅の隙間が形成されている。すなわち、爪２１−１乃至２１−３は、横方向の所定の幅の隙間が形成される間隔で横方向に配置されている。爪２１−１と爪２１−２との間の隙間の幅は、１．８ｃｍ乃至２．２ｃｍとされている。爪２１−２と爪２１−３との間の隙間の幅は、１．８ｃｍ乃至２．２ｃｍとされている。すなわち、爪２１−１乃至２１−３の間の隙間の幅は、それぞれ、１．８ｃｍ乃至２．２ｃｍとされている。より好ましくは、爪２１−１乃至２１−３の間の隙間の幅は、それぞれ、２．０ｃｍとされている。
【００４１】
爪２１−１の短手部４１−１の上下方向の長さは、２．２ｃｍ乃至２．７ｃｍとされている。爪２１−２の短手部４１−２の上下方向の長さは、２．２ｃｍ乃至２．７ｃｍとされている。爪２１−３の短手部４１−３の上下方向の長さは、２．２ｃｍ乃至２．７ｃｍとされている。より好ましくは、短手部４１−１乃至４１−３の上下方向の長さは、２．４ｃｍとされている。
【００４２】
爪２１−１乃至２１−３のそれぞれの短手部４１−１乃至４１−３は、下側から上側に向かうに従い正面側に位置するように傾いている。
【００４３】
爪２１−１乃至２１−３のそれぞれの下側端部４３−１乃至４３−３は、正面側から背面板２２側に近づくに従い下がるように傾いている。
【００４４】
爪２１−１乃至２１−３のそれぞれの下側端部４３−１乃至４３−３のそれぞれにおける上側の面の形状は、凸状とされている。
【００４５】
また、側面板２３−１と爪２１−１との間には、図１中の矢印Bで示されるように、横方向の所定の幅の隙間が形成されている。また、爪２１−３と側面板２３−２との間には、図１中の矢印Bで示されるように、横方向の所定の幅の隙間が形成されている。側面板２３−１と爪２１−１との間の隙間および爪２１−３と側面板２３−２との間の隙間は、爪２１−１乃至２１−３の間の隙間より狭い。
【００４６】
すなわち、側面板２３−１または２３−２と、側面板２３−１または２３−２に隣接して配置されている爪２１−１乃至２１−３のいずれかとの間に隙間が形成されている。
【００４７】
側面板２３−１の背面側であって、下側には、突起５１−１が形成されている。また、側面板２３−２の背面側であって、下側には、突起５１−２が形成されている。吸盤８１−１および８１−２を用いて石鹸入れ１１を固定した場合、突起５１−１および５１−２が、洗面台や流し台の水槽の垂直の面または風呂場の垂直の壁などに当接することで、石鹸入れ１１の姿勢、特に、爪２１−１乃至２１−３の姿勢を適切に保つことができる。
【００４８】
図６は、石鹸入れ１１から石鹸１０１を取り出す状態を示す図である。石鹸入れ１１に格納されている石鹸１０１の下側は、爪２１−１乃至２１−３のそれぞれの下側端部４３−１乃至４３−３によって支えられている。このとき、石鹸１０１の背面側が、背面板２２によって支えられるか、石鹸１０１の正面側が、爪２１−１乃至２１−３のそれぞれの短手部４１−１乃至４１−３によって支えられる。また、石鹸１０１の側面側は、側面板２３−１または２３−２により支えられる。
【００４９】
石鹸入れ１１から石鹸１０１を取り出す場合、手のひらが上向きになる姿勢で、石鹸が格納されている石鹸入れ１１の底側から上向きに、爪２１−１乃至２１−３の間の隙間から人差し指および中指を差し入れる。そして、爪２１−１乃至２１−３の間の隙間に差し入れた人差し指および中指で掬うように、上向きに石鹸１０１を押し出す。すなわち、石鹸１０１を押し上げる。人差し指および中指で掬うようにすると、指先が手前側に動くので、石鹸１０１は短手部４１−１乃至４１−３の上端を超えて、手のひら上に取り出される。
【００５０】
石鹸１０１を石鹸入れ１１に戻して格納する場合には、石鹸１０１を手のひらに載せて、短手部４１−１乃至４１−３の上端から滑り込ませるようにする。すると、石鹸１０１は、短手部４１−１乃至４１−３および側面板２３−１または２３−２の内面に導かれて、石鹸入れ１１の中に入るので、簡単に石鹸１０１を石鹸入れ１１に格納することができる。
【００５１】
以上のように、石鹸入れ１１は、爪２１−１乃至２１−３、背面板２２、並びに側面板２３−１および２３−２を含む。爪２１−１乃至２１−３は、それぞれ、前後方向の断面の断面形状がＪ字状の板材であって、Ｊ字状の短手側の部分である短手部４１−１乃至４１−３が正面側に位置し、Ｊ字状の長手側の部分である長手部４２−１乃至４２−３が背面側に位置し、上側が開いている板材からそれぞれなり、横方向の所定の幅の隙間が形成される間隔で横方向に一列に配置されている。平板状の背面板２２は、複数本の爪２１−１乃至２１−３の長手部４２−１乃至４２−３を一平面となるように繋ぐ。平板状の２枚の側面板である側面板２３−１および２３−２は、石鹸入れ１１の両側の側面のそれぞれに、背面板２２に交差する向きにそれぞれ配置されている。
【００５２】
横方向の所定の幅の隙間が形成される間隔で横方向に一列に配置されている複数本の爪である爪２１−１乃至２１−３で石鹸１０１が支えられるので、石鹸１０１に接する部分をより小さくすることができ、水が溜まることがなく、石鹸１０１の水切りをより良くすることができる。爪２１−１乃至２１−３は、短手部４１−１乃至４１−３が正面側に位置するＪ字状に形成され、横方向の所定の幅の隙間が形成される間隔で横方向に一列に配置されているので、爪２１−１乃至２１−３の隙間から掬い取ることで、石鹸１０１を簡単に取り出すことができ、また、正面上側から滑り込ませれば、石鹸１０１を簡単に格納することができる。石鹸１０１がふやけていても、下から支えるように掬い取れるので、石鹸１０１に強い力を加える必要がなく、石鹸１０１がより変形しにくい。すなわち、石鹸１０１の変形をより抑制できるようになる。
【００５３】
また、複数本の爪を、爪２１−１乃至２１−３の３本とすることができる。爪２１−１乃至２１−３の３本とすると、爪２１−１乃至２１−３の隙間から掬い取ることを容易にしつつ、石鹸１０１を支える面をより広くできるので、格納されている石鹸１０１がふやけていても、石鹸１０１の変形を防止できる。さらに、爪２１−１乃至２１−３の間の隙間の幅を、１．８ｃｍ乃至２．２ｃｍとすることができる。このようにすることで、爪２１−１乃至２１−３の隙間から指で掬い取ることで、石鹸１０１を簡単に取り出すことができる。
【００５４】
爪２１−１乃至２１−３の短手部４１−１乃至４１−３の上下方向の長さを、２．２ｃｍ乃至２．７ｃｍとすることができる。このようにすると、爪２１−１乃至２１−３の隙間から石鹸１０１を掬い取ったときに、上側により短い距離だけ石鹸１０１を変位させるだけで、爪２１−１乃至２１−３の短手部４１−１乃至４１−３の上端を超えて石鹸１０１を手前側に取り出すことができる。また、爪２１−１乃至２１−３の短手部４１−１乃至４１−３の上端を超えて石鹸１０１を滑り込ませれば、石鹸１０１を簡単に格納できる。すなわち、石鹸１０１の取り出しおよび格納がさらに簡単にできる。石鹸１０１がふやけていても、下から支えるように掬い取れ、上側により短い距離だけ石鹸１０１を変位させるだけで、爪２１−１乃至２１−３の短手部４１−１乃至４１−３の上端を超えて石鹸１０１を手前側に取り出せるので、石鹸１０１に強い力を加える必要がなく、石鹸１０１がより変形しにくい。すなわち、石鹸１０１の変形をより抑制できるようになる。
【００５５】
爪２１−１乃至２１−３の下側端部４３−１乃至４３−３の前後方向の長さを、３．０ｃｍ乃至４．０ｃｍとすることができる。このようにすると、石鹸１０１の広い面が立った状態で石鹸１０１が格納されることになり、石鹸１０１から水が流れ落ちやすくなり、石鹸１０１の水切りをより良くすることができる。
【００５６】
爪２１−１乃至２１−３の下側端部４３−１乃至４３−３を、正面側から背面板２２側に近づくに従い下がるように傾いている形状とすることができる。このようにすることで、格納されている石鹸１０１が背面板２２側に滑り、石鹸１０１の平たい側の面が直立しやすくなるので、さらに石鹸１０１の水切りを良くすることができる。なお、爪２１−１乃至２１−３の短手部４１−１乃至４１−３のそれぞれの下側から下側端部４３−１乃至４３−３のそれぞれの前側にかけて湾曲させるようにしてもよい。
【００５７】
爪２１−１乃至２１−３の短手部４１−１乃至４１−３を、下側から上側に向かうに従い正面側に位置するように傾いている形状とすることができる。このようにすることで、爪２１−１乃至２１−３の隙間から石鹸１０１を掬い取ったときに、石鹸１０１の平たい側の面が正面側に傾いて、爪２１−１乃至２１−３の短手部４１−１乃至４１−３に沿って正面側に石鹸１０１が滑るので、爪２１−１乃至２１−３の短手部４１−１乃至４１−３の上端をより簡単に超えて石鹸１０１を手前側に取り出すことができる。また、爪２１−１乃至２１−３の短手部４１−１乃至４１−３の上端を超えて石鹸１０１を滑り込ませるときに、正面側に開いているので、開口が広くなり、石鹸１０１を簡単に格納できる。すなわち、石鹸１０１の取り出しおよび格納がさらに簡単にできる。石鹸１０１がふやけていても、下から支えるように掬い取ると、爪２１−１乃至２１−３の短手部４１−１乃至４１−３に沿って正面側に石鹸１０１が滑るので、より少ない力で石鹸１０１を取り出すことができる、石鹸１０１がより変形しにくい。すなわち、石鹸１０１の変形をより抑制できるようになる。
【００５８】
爪２１−１乃至２１−３の下側端部４３−１乃至４３−３における上側の面の形状を、凸状とすることができる。このようにすることで、石鹸１０１が下側端部４３−１乃至４３−３における上側の面に密着しなくなり、爪２１−１乃至２１−３から水が流れやすくなり、石鹸１０１の水切りをより良くすることができる。
【００５９】
側面板２３−１または２３−２と、側面板２３−１または２３−２に隣接して配置されている爪２１−１乃至２１−３のいずれかとの間に隙間を形成することができる。このようにすることで、側面板２３−１または２３−２と爪２１−１乃至２１−３のいずれかとの間の隙間から水が流れやすくなり、石鹸１０１の水切りをより良くすることができる。
【００６０】
このように、石鹸の水切りがより良く、石鹸の取り出しおよび格納がより簡単にでき、また、石鹸の変形をより抑制できる。
【００６１】
なお、石鹸入れ１１は、吸盤８１−１および８１−２に限らず、ネジや磁石、または粘着性の両面テープで水槽の垂直の面や垂直の壁などに固定することもできる。
【００６２】
なお、複数本の爪を、爪２１−１乃至２１−３の３本とすると説明したが、これに限るものではなく、４本としてもよい。
【００６３】
なお、本発明の実施の形態は、上述した実施の形態に限定されるものではなく、本発明の要旨を逸脱しない範囲において種々の変更が可能である。
【符号の説明】
【００６４】
１１  石鹸入れ，  ２１−１乃至２１−３  爪，  ２２  背面板，  ２３−１および２３−２  側面板，  ２４−１および２４−２  吸盤止め，  ４１−１乃至４１−３  短手部，  ４２−１乃至４２−３  長手部，  ４３−１乃至４３−３  下側端部，  ５１−１および５１−２  突起，  ８１−１および８１−２  吸盤
【図１】
2018094323.tif 000003
【図２】
2018094323.tif 000004
【図３】
2018094323.tif 000005
【図４】
2018094323.tif 000006
【図５】
2018094323.tif 000007
【図６】
2018094323.tif 000008